(57)【要約】  本発明は、製造ルートが生産性に与える影響を可視化できる表示方法、表示プログラム及び表示制御装置を提供することを目的とする。  サーバ装置は、複数の工程を順に経て製品を製造する製造システムの各工程における、製品の製造処理の開始時刻と終了時刻との情報に基づいて、製造システムで製造される一以上の製品それぞれについて、工程の実行順であって、工程毎に区分した状態で、製造処理の開始から終了までの経過時間を示す線分を、時間軸を同じ方向に揃えて表示し、区分の区切り位置に合わせた区分内に、対応する工程に属する製造設備を示すシンボルを表示する、処理を実行する。
2017098618.tif 000002
【特許請求の範囲】
【請求項１】
複数の工程を順に経て製品を製造する製造システムの各工程における、製品の製造処理の開始時刻と終了時刻との情報に基づいて、前記製造システムで製造される一以上の製品それぞれについて、前記工程の実行順であって、工程毎に区分した状態で、製造処理の開始から終了までの経過時間を示す線分を、時間軸を同じ方向に揃えて表示し、  前記区分の区切り位置に合わせた区分内に、対応する工程に属する製造設備を示すシンボルを表示する、  処理をコンピュータが実行することを特徴とする表示方法。
【請求項２】
表示されたいずれかの線分の選択を受け付けると、選択された前記線分に対応する区分に複数の製造設備を示すシンボルが表示されている場合に、選択された前記線分に対応する製造設備のシンボルを特定する表示を行う、  ことを特徴とする請求項１に記載の表示方法。
【請求項３】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示方法において、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示し、  表示された前記線分のうち選択を受け付けた第１の線分に対応する第１の製品について、前記工程それぞれにおいていずれの製造設備により製造されたかを示す情報を表示する、  処理をコンピュータが実行することを特徴とする表示方法。
【請求項４】
前記工程それぞれにおいていずれの製造設備により製造されたかを示す情報は、画面上に並べて表示された製造設備を示すマーク間を結ぶ線分により表示されることを特徴とする請求項３に記載の表示方法。
【請求項５】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示方法において、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示し、  一定の時間長を有する時間帯の選択を受け付けると、受け付けた時間帯に含まれる１以上の線分に対応する１以上の製品について、前記工程それぞれにおいていずれの製造設備により製造されたかを示す情報を表示する、  処理をコンピュータが実行することを特徴とする表示方法。
【請求項６】
前記工程それぞれにおいていずれの製造設備により製造されたかを示す情報は、画面上に並べて表示された製造設備を示すマーク間を結ぶ線分により表示されることを特徴とする請求項５に記載の表示方法。
【請求項７】
前記マーク間を結ぶ線分は、該当する製品数が多いほど、太く表示されることを特徴とする請求項５に記載の表示方法。
【請求項８】
複数の工程を順に経て製品を製造する製造システムの各工程における、製品の製造処理の開始時刻と終了時刻との情報に基づいて、前記製造システムで製造される一以上の製品それぞれについて、前記工程の実行順であって、工程毎に区分した状態で、製造処理の開始から終了までの経過時間を示す線分を、時間軸を同じ方向に揃えて表示し  前記区分の区切り位置に合わせた区分内に、対応する工程に属する製造設備を示すシンボルを表示する、  処理をコンピュータに実行させることを特徴とする表示プログラム。
【請求項９】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示プログラムにおいて、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示し、  表示された前記線分のうち選択を受け付けた第１の線分に対応する第１の製品について、前記工程それぞれにおいていずれの製造設備により製造されたかを示す情報を表示する、  処理をコンピュータに実行させることを特徴とする表示プログラム。
【請求項１０】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示プログラムにおいて、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示し、  一定の時間長を有する時間帯の選択を受け付けると、受け付けた時間帯に含まれる１以上の線分に対応する１以上の製品について、前記工程それぞれにおいていずれの製造設備により製造されたかを示す情報を表示する、  処理をコンピュータに実行させることを特徴とする表示プログラム。
【請求項１１】
複数の工程を順に経て製品を製造する製造システムの各工程における、製品の製造処理の開始時刻と終了時刻との情報に基づいて、前記製造システムで製造される一以上の製品それぞれについて、前記工程の実行順であって、工程毎に区分した状態で、製造処理の開始から終了までの経過時間を示す線分を、時間軸を同じ方向に揃えて表示する第１表示部と、  前記区分の区切り位置に合わせた区分内に、対応する工程に属する製造設備を示すシンボルを表示する第２表示部と  を有することを特徴とする表示制御装置。
【請求項１２】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示制御装置において、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示する第１表示部と、  表示された前記線分のうち選択を受け付けた第１の線分に対応する第１の製品について、前記工程それぞれにおいていずれの製造設備により製造されたかを示す情報を表示する第２表示部と  を有することを特徴とする表示制御装置。
【請求項１３】
一の製品を製造するために順に実行される複数の工程を有し、かつ前記工程それぞれの製造処理を行なう１以上の製造設備を有する製造システムで、一の製品が前記工程毎にいずれの製造設備により製造されたかを示す情報の表示制御装置において、  前記工程それぞれにおける一の製品についての製造処理の開始時刻と終了時刻との情報に基づいて、前記製造システムで製造される一以上の製品それぞれについて、前記工程の実行順に工程毎に区分した状態で、製造処理の開始から終了までの経過時間を示す線分を、時間軸を同じ方向に揃えて表示する第１表示部と、  一定の時間長を有する時間帯の選択を受け付けると、受け付けた時間帯に含まれる１以上の線分に対応する１以上の製品について、前記工程それぞれにおいていずれの製造設備により製造されたかを示す情報を表示する第２表示部と  を有することを特徴とする表示制御装置。
【発明の詳細な説明】
【技術分野】
【０００１】  本発明は、表示方法、表示プログラム及び表示制御装置に関する。
【背景技術】
【０００２】  ＩｏＴ（Internet  of  Things）の広がりの下、ものづくりの現場ではさまざまな機器が日々大量のデータを発しており、これらのデータを活用した次世代のものづくりの取り組みが進められている。【０００３】  例えば、製造ラインの各工程から収集されるログデータを生産実績の可視化に用いる技術が提案されている。かかる生産実績の可視化は、一例として、縦軸を時間、横軸を工程とし、製造ラインを流れる個体別に各工程に対応する製造処理の開始時刻または終了時刻がプロットされた折れ線グラフをチャート化したタイムラインの表示により実現される。
【先行技術文献】
【特許文献】
【０００４】
【特許文献１】特開２００９−８７０２７号公報
【特許文献２】特開２００９−９３４８６号公報
【特許文献３】特開２００６−４００３９号公報
【発明の概要】
【発明が解決しようとする課題】
【０００５】  しかしながら、上記の技術では、次に説明するように、製造ルートが生産性に与える影響を可視化できない場合がある。【０００６】  すなわち、各工程に配置される製造設備は、必ずしも１つの工程につき１つであるとは限らず、１つの工程に複数の製造設備が含まれる場合がある。このように１つの工程に複数の製造設備が含まれる場合、個体によって製造ルートが異なるケースがあるにもかかわらず、上記のタイムラインには、あたかも全ての個体が同一の製造ルートで生産されるかのような表示が行われる。このため、上記のタイムラインからは、製造ルートが生産性に与える影響を可視化することはできない。【０００７】  １つの側面では、本発明は、製造ルートが生産性に与える影響を可視化できる表示方法、表示プログラム及び表示制御装置を提供することを目的とする。
【課題を解決するための手段】
【０００８】  一態様では、複数の工程を順に経て製品を製造する製造システムの各工程における、製品の製造処理の開始時刻と終了時刻との情報に基づいて、前記製造システムで製造される一以上の製品それぞれについて、前記工程の実行順であって、工程毎に区分した状態で、製造処理の開始から終了までの経過時間を示す線分を、時間軸を同じ方向に揃えて表示し、前記区分の区切り位置に合わせた区分内に、対応する工程に属する製造設備を示すシンボルを表示する、処理をコンピュータが実行する。
【発明の効果】
【０００９】  製造ルートが生産性に与える影響を可視化できる。
【図面の簡単な説明】
【００１０】
【図１】図１は、実施例１に係るログデータ分析システムの構成を示す図である。
【図２】図２は、実施例１に係るサーバ装置の機能的構成を示すブロック図である。
【図３】図３は、製造レポート画面の一例を示す図である。
【図４Ａ】図４Ａは、製品のグループ化の一例を示す図である。
【図４Ｂ】図４Ｂは、製造レポート画面の一例を示す図である。
【図５】図５は、製造レポート画面の一例を示す図である。
【図６】図６は、実施例１に係る第１の表示処理の手順を示すフローチャートである。
【図７】図７は、実施例１に係る第２の表示処理の手順を示すフローチャートである。
【図８】図８は、実施例１及び実施例２に係る表示プログラムを実行するコンピュータのハードウェア構成例を示す図である。
【発明を実施するための形態】
【００１１】  以下に添付図面を参照して本願に係る表示方法、表示プログラム及び表示制御装置について説明する。なお、この実施例は開示の技術を限定するものではない。そして、各実施例は、処理内容を矛盾させない範囲で適宜組み合わせることが可能である。
【実施例１】
【００１２】［ログデータ分析システム］  図１は、実施例１に係るログデータ分析システムの構成を示す図である。図１に示すログデータ分析システム１は、製造システム３の各工程Ａ〜工程Ｃから収集されるログデータを分析するログデータ分析サービスを提供するものである。かかるログデータ分析システム１の一環として、製造システム３における生産実績の可視化を実現する。【００１３】  図１に示すように、ログデータ分析システム１には、サーバ装置１０と、クライアント端末５０−１〜５０−３とが含まれる。以下では、クライアント端末５０−１〜５０−３の各々を総称する場合に「クライアント端末５０」と記載する場合がある。なお、図１には、サーバ装置１０が３つのクライアント端末５０を収容する場合を例示したが、図示の例示に限定されず、任意の台数のクライアント端末５０が収容されることを妨げない。【００１４】  サーバ装置１０は、上記のログデータ分析サービスをクライアント端末５０に提供するコンピュータである。【００１５】  一実施形態として、サーバ装置１０は、パッケージソフトウェアやオンラインソフトウェアとして上記のログデータ分析サービスを実現する監視プログラムを所望のコンピュータにインストールさせることによって実装できる。例えば、サーバ装置１０は、上記のログデータ分析サービスを提供するＷｅｂサーバとして実装することとしてもよいし、アウトソーシングによって上記のログデータ分析サービスを提供するクラウドとして実装することとしてもかまわない。【００１６】  クライアント端末５０は、サーバ装置１０から上記のログデータ分析サービスの提供を受けるコンピュータである。かかるクライアント端末５０は、一例として、製造システム３の現場の作業者や管理者を含め、製造システム３の関係者全般に使用させることができる。【００１７】  一実施形態として、クライアント端末５０には、パーソナルコンピュータを採用できる。クライアント端末５０は、上記のパーソナルコンピュータなどの据置き型の情報処理装置に限定されず、各種の携帯端末装置をクライアント端末５０として採用することもできる。ここで言う「携帯端末装置」には、スマートフォン、携帯電話機やＰＨＳ（Personal  Handyphone  System）などの移動体通信端末、さらには、スレート端末やタブレット端末などがその範疇に含まれる。【００１８】  これらサーバ装置１０及びクライアント端末５０は、ネットワーク４を介して接続される。かかるネットワーク４には、一例として、有線または無線を問わず、インターネットを始め、ＬＡＮやＶＰＮ（Virtual  Private  Network）などの任意の種類の通信網を採用できる。【００１９】  一方、製造システム３には、図１に示すように、工程Ａ、工程Ｂ、工程Ｃの３つの工程を含む製造ラインが構築されている。かかる製造ラインには、各工程に対応する製造処理を実施する製造設備が少なくとも１つ以上配備されており、１つの工程に配備される製造設備の数は必ずしも１つとは限らず、製造ラインの設計によっては複数の製造設備が１つの工程に設けられる場合がある。なお、図１には、製造ラインに含まれる工程がＡ〜Ｃの３つである場合を示したが、これはあくまで一例であり、工程は任意の数であってかまわない。【００２０】  例えば、工程Ａに対応する製造処理は、ｎ個の製造設備３０Ａ１〜３０Ａｎにより実施される。ここで符号に含まれる「ｎ」は、１以上の任意の自然数を指すこととする。これら製造設備３０Ａ１〜３０Ａｎは、製造処理のログデータを出力するログ出力装置３１Ａ１〜３１Ａｎに接続される。さらに、ログ出力装置３１Ａ１〜３１Ａｎは、サーバ装置１０に接続される。なお、以下では、製造設備３０Ａ１〜３０Ａｎを総称する場合に「製造設備３０Ａ」と記載すると共に、ログ出力装置３１Ａ１〜３１Ａｎを総称する場合に「ログ出力装置３１Ａ」と記載する場合がある。【００２１】  これと同様に、工程Ｂに対応する製造処理は、ｍ個の製造設備３０Ｂ１〜３０Ｂｍにより実施される一方で、工程Ｃに対応する製造処理は、ｋ個の製造設備３０Ｃ１〜３０Ｃｋにより実施される。なお、「ｎ」、「ｍ」及び「ｋ」は、全てが同一の自然数であってもよいし、一部が同一の自然数であってもよいし、全てが異なる自然数であってもかまわない。そして、製造設備３０Ｂ１〜３０Ｂｍは、ログ出力装置３１Ｂ１〜３１Ｂｍに接続される一方で、製造設備３０Ｃ１〜３０Ｃｋは、ログ出力装置３１Ｃ１〜３１Ｃｋに接続される。さらに、ログ出力装置３１Ｂ１〜３１Ｂｍ及び３１Ｃ１〜３１Ｃｋは、サーバ装置１０に接続される。【００２２】  以下では、製造設備３０Ｂ１〜３０Ｂｍを総称する場合に「製造設備３０Ｂ」と記載すると共に、ログ出力装置３１Ｂ１〜３１Ｂｍを総称する場合に「ログ出力装置３１Ｂ」と記載する場合がある。また、製造設備３０Ｃ１〜３０Ｃｋを総称する場合に「製造設備３０Ｃ」と記載すると共に、ログ出力装置３１Ｃ１〜３１Ｃｋを総称する場合に「ログ出力装置３１Ｃ」と記載する場合がある。さらに、製造システム３に含まれる全てのログ出力装置３１Ａ、３１Ｂ及び３１Ｃを総称する場合に「ログ出力装置３１」と記載する場合がある。【００２３】  ここで、ログ出力装置３１は、ログデータをサーバ装置１０へ伝送する。例えば、ログ出力装置３１は、ログ出力装置３１と接続された製造設備３０で製造処理が開始される開始イベント、あるいは製造設備３０で製造処理が終了する終了イベントが発生する度に、次のようなログデータをサーバ装置１０へアップロードする。かかるログデータには、一例として、製造処理が行われる個体の識別情報、開始イベントまたは終了イベントを識別するイベントの識別情報、イベント発生の時刻及びログ出力装置３１が接続された製造設備３０の識別情報などの項目が対応付けられたデータを採用できる。ここで言う「個体」とは、各工程に対応する製造処理により製品へ加工される前の原材料等を指す。【００２４】  このようにログ出力装置３１からサーバ装置１０へ収集されたログデータ、いわゆるビッグデータがサーバ装置１０により生産実績の可視化に用いられる。以下、サーバ装置１０の機能的構成について具体的に説明する。【００２５】［サーバ装置１０］  図２は、実施例１に係るサーバ装置１０の機能的構成を示すブロック図である。図２に示すように、サーバ装置１０は、通信Ｉ／Ｆ部１１と、記憶部１３と、制御部１５とを有する。なお、図２には、データの入出力の関係を表す実線が示されているが、これは、説明の便宜上、最小限の部分について示されているに過ぎない。すなわち、各処理部に関するデータの入出力は、図示の例に限定されず、図示以外のデータの入出力、例えば処理部及び処理部の間、処理部及びデータの間、並びに、処理部及び外部装置の間のデータの入出力が行われることとしてもかまわない。【００２６】  通信Ｉ／Ｆ部１１は、他の装置、例えばログ出力装置３１やクライアント端末５０との間で通信制御を行うインタフェースである。【００２７】  一実施形態として、通信Ｉ／Ｆ部１１の一態様としては、ＬＡＮカードなどのネットワークインタフェースカードを採用できる。例えば、通信Ｉ／Ｆ部１１は、ログ出力装置３１からログデータを受信することができる。また、通信Ｉ／Ｆ部１１は、製造システム３の生産実績が可視化された製造レポートの閲覧要求をクライアント端末５０から受け付けたり、製造レポートの表示用データをクライアント端末５０へ送信したりする。【００２８】  記憶部１３は、制御部１５で実行されるＯＳ（Operating  System）を始め、上記のログデータ分析サービスを実現するアプリケーションプログラムなどの各種プログラムに用いられるデータを記憶する記憶デバイスである。【００２９】  一実施形態として、記憶部１３は、サーバ装置１０における補助記憶装置として実装することができる。例えば、記憶部１３には、ＨＤＤ（Hard  Disk  Drive）、光ディスクやＳＳＤ（Solid  State  Drive）などを採用できる。なお、記憶部１３は、必ずしも補助記憶装置として実装されずともよく、サーバ装置１０における主記憶装置として実装することもできる。この場合、記憶部１３には、各種の半導体メモリ素子、例えばＲＡＭ（Random  Access  Memory)やフラッシュメモリを採用できる。【００３０】  記憶部１３は、制御部１５で実行されるプログラムに用いられるデータの一例として、生産実績データ１３ａを記憶する。かかる生産実績データ１３ａ以外にも、他の電子データ、例えばサーバ装置１０が生成するグラフやチャートの表示設定データの他、製造システム３で製造される製品の図面データ、製品、ＬＯＴ及び仮図番の対応関係データなども併せて記憶することもできる。なお、生産実績データ１３ａは、あらかじめ記憶されるスタティックなデータではないので、各データの登録または参照を行う処理部の説明に合わせて説明を行うこととする。【００３１】  制御部１５は、各種のプログラムや制御データを格納する内部メモリを有し、これらによって各種の処理を実行するものである。【００３２】  一実施形態として、制御部１５は、中央処理装置、いわゆるＣＰＵ（Central  Processing  Unit）として実装される。なお、制御部１５は、必ずしも中央処理装置として実装されずともよく、ＭＰＵ（Micro  Processing  Unit）として実装されることとしてもよい。また、制御部１５は、ＡＳＩＣ（Application  Specific  Integrated  Circuit）やＦＰＧＡ（Field  Programmable  Gate  Array）などのハードワイヤードロジックによっても実現できる。【００３３】  制御部１５は、図示しない主記憶装置として実装されるＤＲＡＭ（Dynamic  Random  Access  Memory）やＳＲＡＭ（Static  Random  Access  Memory）などのＲＡＭのワークエリア上に、記憶部１３に上記のログデータ分析サービスを実現する���プリケーションプログラムとして記憶された表示プログラムをプロセスとして展開することにより、下記の処理部を仮想的に実現する。【００３４】  例えば、制御部１５は、図２に示すように、収集部１５ａと、表示制御部１５ｂと、第１生成部１５ｃと、受付部１５ｄと、第２生成部１５ｅとを有する。【００３５】  収集部１５ａは、ログデータを収集する処理部である。【００３６】  一実施形態として、収集部１５ａは、ログ出力装置３１からログデータがアップロードされる度に、次のような処理を実行する。すなわち、収集部１５ａは、個体の識別情報ごとに各工程に対応する製造処理が実施される製造設備３０の識別情報、製造処理の開始時刻および製造処理の終了時刻などの項目が対応付けられた生産実績データ１３ａのうち、当該ログデータに含まれる個体の識別情報に対応するレコードの更新を実行する。例えば、収集部１５ａは、生産実績データ１３ａに含まれるレコードのうち、当該ログデータに含まれる個体の識別情報を持つレコードを識別する。さらに、収集部１５ａは、先に識別されたレコードが持つ工程のフィールドのうち、当該ログデータに含まれる製造設備３０の識別情報に対応する工程のフィールドを識別する。さらに、収集部１５ａは、先に識別された工程のフィールドが持つ製造処理の開始時刻及び終了時刻のフィールドのうち、当該ログデータに含まれるイベントの識別情報に対応するフィールドに、当該ログデータに含まれるイベント発生の時刻を登録する。例えば、開始イベントである場合には、開始時刻のフィールドに時刻が格納される一方で、終了イベントである場合には、終了時刻のフィールドに時刻が格納される。このように製造処理の開始時刻または終了時刻の登録を行うと共に、収集部１５ａは、先に識別された工程のフィールドが持つ製造設備３０の識別情報を格納するフィールドに、当該ログデータに含まれる製造設備３０の識別情報を登録する。これによって、１つの工程に複数の製造設備３０が含まれる場合でも、製造処理が実行された製造設備３０を識別可能な状態で生産実績の可視化をコンピュータに実行させることができる。【００３７】  表示制御部１５ｂは、クライアント端末５０への表示制御を実行する処理部である。【００３８】  一実施形態として、表示制御部１５ｂは、クライアント端末５０から製造レポートの閲覧要求を受け付けた場合、第１生成部１５ｃにより生成されるタイムライン画面及び第２生成部１５ｅにより生成される製造ルート画面を含む製造レポート画面をクライアント端末５０に表示させる。ここで言う「タイムライン」とは、製造ライン上を流れる製品ごとに、製造ラインに含まれる工程の実行順序にしたがって製造処理の開始および終了の区分ごとに並列された時間軸上に各工程に対応する製造処理の開始時刻及び終了時刻がプロットされることによりチャート化された線グラフ、例えば折れ線グラフを指す。また、「製造ルート」とは、工程ごとに当該工程に属する製造設備３０の数に合わせて製造設備３０を表すシンボルが配置された製造ライン上でシンボル同士が結ばれることにより形成される経路を指す。【００３９】  ここで、「タイムライン」に含まれる時間軸及び「製造ルート」に含まれるシンボ���は、互いが関連付けられた状態で表示される。すなわち、各工程に属する製造設備３０のシンボルは、製造処理の開始および終了の各区分に対応する２つの時間軸を境界に定まる区間内に表示される。このため、「タイムライン」の各時間軸が垂直方向に並列して表示される場合、タイムライン画面の上側または下側に製造ルート画面が表示される。また、「タイムライン」の各時間軸が水平方向に並列して表示される場合、タイムライン画面の左側または右側に製造ルート画面が表示される。以下では、製造レポート画面上でタイムライン画面が表示される領域のことを「第１の画面領域」と記載する一方で製造ルート画面が表示される領域のことを「第２の画面領域」と記載する場合がある。【００４０】  第１生成部１５ｃは、タイムライン画面の表示用データを生成する処理部である。【００４１】  一実施形態として、第１生成部１５ｃは、クライアント端末５０から製造レポートの閲覧要求を受け付けた場合、上記のタイムライン画面の表示用データを生成する。このようにタイムライン画面を表示させる場合、クライアント端末５０の表示装置が表示できる画面の大きさには限りがあるので、全ての製品に関するタイムラインを表示するのは困難である。それ故、タイムライン画面に表示させる時間軸の時間長を一定の期間に制限してタイムラインが表示される製品を絞り込む場合を説明する。以下では、タイムラインの表示範囲の一例として、製品のリードタイムの整数倍程度の期間が設定されている場合を想定して説明を行う。【００４２】  より具体的には、第１生成部１５ｃは、製造レポートの閲覧要求を受け付けた日時もしくは閲覧要求で指定された日時を基準に、タイムラインの表示範囲を設定する。続いて、第１生成部１５ｃは、記憶部１３に記憶された生産実績データ１３ａのレコードのうちレコードを１つ選択する。かかる生産実績データ１３ａの１レコードは、１つの製品に対応するので、レコードを選択することは製造ラインを流れる個体の１つを選択することに等しい。続いて、第１生成部１５ｃは、先に選択されたレコードに含まれる製造処理の開始時刻のうち最古の開始時刻または製造処理の終了時刻のうち最新の終了時刻のいずれかがタイムラインの表示範囲に含まれるか否かを判定する。ここで、第１生成部１５ｃは、最古の開始時刻または最新の終了時刻がタイムラインの表示範囲に含まれる場合、当該レコードを図示しない内部メモリのワークエリアに保存することにより当該レコードに対応する製品を抽出する。一方、最古の開始時刻及び最新の終了時刻がタイムラインの表示範囲に含まれない場合、当該レコードは内部メモリのワークエリアに保存されない。そして、第１生成部１５ｃは、生産実績データ１３ａの全てのレコードが選択されるまで上記のレコードの抽出を繰り返し実行する。【００４３】  その後、第１生成部１５ｃは、生産実績データ１３ａの全てのレコードが選択された場合、次のような処理を実行する。すなわち、第１生成部１５ｃは、内部メモリに保存されたレコードごとに、当該レコードに含まれる工程別の製造処理の開始時刻及び終了時刻をタイムラインの各時間軸上にプロットし、プロットされた点同士を結ぶことにより折れ線グラフをチャ��ト化する。これによって、タイムライン画面の表示用データが生成される。【００４４】  受付部１５ｄは、製造ルートの表示対象の指定を受け付ける処理部である。【００４５】  一実施形態として、受付部１５ｄは、クライアント端末５０に表示されたタイムライン画面上で折れ線グラフに含まれる線分の指定を受け付けることができる。例えば、ポインティングデバイスの一例としてマウスが用いられる場合、マウスオーバーの操作により線分の指定を受け付けたり、線分の左クリックや右クリックなどの操作により線分の指定を受け付けたりする。また、受付部１５ｄは、タイムラインの表示範囲を製造ルートの表示対象として受け付けることもできる。かかるタイムラインの表示範囲の指定は、如何なる条件により受け付けるものでもかまわない。例えば、マウスやキーボードなどの入力デバイスによる特定の操作が検出されることを条件にしてもよく、また、無操作状態が所定の期間にわたって検出されることを条件にしてもよく、デフォルトの状態でタイムラインの表示範囲を製造ルートの表示対象とすることもできる。【００４６】  第２生成部１５ｅは、製造ルート画面の表示用データを生成する処理部である。【００４７】  一側面として、第２生成部１５ｅは、受付部１５ｄにより線分の指定が受け付けられた場合、次のような処理を実行する。すなわち、第２生成部１５ｅは、内部メモリのワークエリアに保存されたレコードのうち受付部１５ｄにより指定を受け付けた線分に対応する製品のレコードを参照して、当該製品の製造処理が実施された製造設備３０の識別情報を工程ごとに検索する。その上で、第２生成部１５ｅは、工程ごとに当該工程に属する製造設備３０の数に合わせて配置された製造設備３０のシンボルのうち、先の検索でヒットした各工程の製造設備３０に対応するシンボル同士を結ぶことにより、当該製品に関する製造ルートをチャート化する。これによって、製造ルート画面の表示用データが生成される。なお、ここでは、シンボルの結合により製造ルートを可視化する場合を例示したが、先の検索でヒットした製造設備３０に対応するシンボルの表示形態を先の検索でヒットしなかった製造設備３０に対応するシンボルの表示形態と区別することにより製造ルートを可視化することもできる。【００４８】  他の側面として、第２生成部１５ｅは、受付部１５ｄによりタイムラインの表示範囲の指定が受け付けられた場合、次のような処理を実行する。すなわち、第２生成部１５ｅは、内部メモリのワークエリアに保存された各製品のレコードを参照して、当該製品の製造処理が実施された製造設備３０の識別情報を工程ごとに検索する処理を全てのレコードにわたって繰り返し実行する。その上で、第２生成部１５ｅは、工程ごとに当該工程に属する製造設備３０の数に合わせて配置された製造設備３０のシンボルのうち、先の検索でヒットした各工程の製造設備３０に対応するシンボル同士を結ぶ描画処理を内部メモリのワークエリアに保存された全てのレコードにわたって繰り返し実行する。このように、タイムラインの表示範囲に含まれる各製品に関する製造ルートをチャート化することにより、製造ルート画面の表示用データが生成される。【００４９】［製造レポート���具体例１］  次に、本実施例に係る製造レポートの表示方法について説明する。図３は、製造レポート画面の一例を示す図である。図３には、製造ラインの一例として、プリント基板の製造に関する３つの工程「前工程」、「組み込み」及び「プレス」が抜粋して示されている。図３に示す３つの工程は、プラスチック板の表面に銅などのメッキを施す表面加工を行う「前工程」、表面加工後のプラスチック板を層間で重ねる「組み込み」、重ねたプラスチック板に圧力と熱をかける「プレス」の順序、すなわち左方向から右方向への順序で実行される。なお、図３に示す３つの工程のうち「前工程」及び「組み込み」の２つの工程では、製造処理の開始時刻及び終了時刻のうち開始時刻のログが記録される一方で、「プレス」では、製造処理の開始時刻及び終了時刻の両方のログが記録される場合が示されている。【００５０】  図３に示すように、製造レポート画面３００には、タイムライン画面３１０と、製造ルート画面３２０とが含まれる。例えば、タイムライン画面３１０では、製造処理の開始および終了の区分ごとに時間軸Ｐ１〜Ｐ５が並列されている。このうち、時間軸Ｐ１は、「前工程」に対応する製造処理が開始されるタイミングを指し、時間軸Ｐ２は、「前工程」に対応する製造処理が終了するタイミングを指す。また、時間軸Ｐ３は、「組み込み」に対応する製造処理が開始するタイミングを指す。さらに、時間軸Ｐ４は、「プレス」に対応する製造処理が開始されるタイミングを指し、時間軸Ｐ５は、「プレス」に対応する製造処理が終了するタイミングを指す。さらに、タイムライン画面３１０には、生産実績データ１３ａに含まれるレコードのうち最古の開始時刻または最新の終了時刻の一方がタイムラインの表示範囲Ｔに含まれる製品のレコードに関するタイムラインが表示されている。【００５１】  一方、製造ルート画面３２０には、３つの工程「前工程」、「組み込み」及び「プレス」ごとに、各工程に含まれる製造設備３０の数に合わせて製造設備３０を表すシンボルが表示される。例えば、工程「前工程」の例で言えば、「ＣＺ１」、「ＣＺ２」及び「ＨＢＯ」などの３つの製造設備を表すシンボルが表示されている。また、工程「組み込み」の例で言えば、「Ｅ１」、「Ｅ２」及び「Ｅ３」などの３つの製造設備を表すシンボルが表示されている。さらに、工程「プレス」の例で言えば、「１」〜「１１」の１１個の製造設備を表すシンボルが表示されている。【００５２】  このような製造レポート画面３００の表示の下、マウスカーソルＣがタイムライン画面３１０上の折れ線グラフ３３０に含まれる線分にマウスオーバーされた場合、タイムライン画面３１０上で表示された折れ線グラフのうち当該マウスオーバーが行われた折れ線グラフ３３０が強調表示されると共に、当該マウスオーバーが行われた製品に関する製造ルートＲ１が製造ルート画面３２０に表示される。かかる製造ルートＲ１の表示により、製造システム３の関係者は、製品が工程「前工程」の製造設備「ＨＢＯ」、工程「組み込み」の製造設備「Ｅ１」、工程「プレス」の製造設備「５」の順路で製造されたことを一目で把握できる。例えば、折れ線グラフ３３０に対応する製品が工程「プレス」によるプレス��工で不良品となった製品である場合、１１個もの製造設備「１」〜「１１」のうち製造設備「５」で不具合が起こったことを折れ線グラフ３３０に含まれる線分の指定という簡易な操作で追跡できる。それ故、上記の製造ルートＲ１の表示によれば、製造ルートが生産性に与える影響を可視化できる。【００５３】［製造レポートの具体例２］  製造ラインでは、必ずしも同一の種類の製品だけが製造されるとは限らず、異なる種類の製品が混在して製造される場合もある。このような場合、同一の種類の製品の製造ルートをある程度まとめて確認したいといった場面も生じうる。そこで、一例として、ＬＯＴ単位及び仮図番などの単位でグループ化された製品の製造ルートが表示される場合について説明する。【００５４】  図４Ａは、製品のグループ化の一例を示す図である。図４Ｂは、製造レポート画面の一例を示す図である。図４Ｂには、図３に示した製造レポート画面３００と同様に、製造ラインの一例として、プリント基板の製造に関する３つの工程「前工程」、「組み込み」及び「プレス」が抜粋して示されている。また、図４Ｂにおいてタイムライン画面４１０に含まれる時間軸Ｐ１〜Ｐ５や製造ルート画面４２０に含まれる製造設備のシンボルは、図３に示した製造レポート画面３００と同様のものである。【００５５】  図４Ａには、製造ルートを表示させる粒度を指定するＧＵＩ（Graphical  User  Interface）コンポーネントの一例として、チェックボックス４０１〜４０３が示されている。例えば、ＩＤのチェックボックス４０１にチェックが入れられた場合、図３に示した通り、マウスオーバーが行われた製品の製造ルートが製造ルート画面３２０に表示される。また、ＬＯＴ番号のチェックボックス４０２にチェックが入れられた場合、マウスオーバーが行われた製品と同一のＬＯＴ番号を持つ製品がグループ化される。さらに、仮図番のチェックボックス４０３にチェックが入れられた場合、マウスオーバーが行われた製品と同一の設計書から製造される全ての製品がグループ化される。【００５６】  例えば、図４Ａに示したＬＯＴ番号のチェックボックス４０２にチェックが入れられた状態でマウスカーソルＣが図４Ｂに示すタイムライン画面４１０上の折れ線グラフ４３０に含まれる線分にマウスオーバーされた場合、タイムライン画面４１０上で表示された折れ線グラフのうち当該マウスオーバーが行われた折れ線グラフ４３０が強調表示される。さらに、マウスオーバーが行われた製品と同一のＬＯＴ番号を持つ製品がグループ化された上で当該ＬＯＴ番号を持つ製品のグループに関する複数の製造ルートが製造ルート画面４２０に表示される。かかる製造ルートの表示により、例えば、各工程において当該ＬＯＴ番号の製品が製造されるのに使用された製造設備と使用されなかった製造設備とを区別して把握することができる。さらに、複数の製造ルートが表示される場合、マウスオーバーが行われた線分に対応する製品の製造ルートＲ２は、強調表示により同一のＬＯＴ番号を持つ他の製品の表示形態と区別することもできる。【００５７】［製造レポートの具体例３］  上記の具体例１及び具体例２では、マウスオーバーが行われた折れ線グラフに含まれる線分に対応する製品の製造ルートを��示させる場合を例示したが、タイムラインの表示範囲Ｔに含まれる各製品に関する製造ルートを表示させることもできる。【００５８】  図５は、製造レポート画面の一例を示す図である。図５には、図３に示した製造レポート画面３００と同様に、製造ラインの一例として、プリント基板の製造に関する３つの工程「前工程」、「組み込み」及び「プレス」が抜粋して示されている。また、図５においてタイムライン画面５１０に含まれる時間軸Ｐ１〜Ｐ５や製造ルート画面５２０に含まれる製造設備のシンボルは、図３に示した製造レポート画面３００と同様のものである。【００５９】  図５に示す製造レポート画面５００の表示の下、受付部１５ｄによりタイムラインの表示範囲Ｔの指定が製造ルートの表示対象として受け付けられた場合、タイムラインの表示範囲Ｔに含まれる各製品に関する製造ルートが表示される。このようにタイムラインの表示と製造ルートの表示を連動させる場合、プルダウンメニューやテキストボックス等を用いた期間指定などの煩雑な操作を省いて複数の製品に関する製造ルートの表示を実現できる。【００６０】  ここで、互いが隣接する２つの工程間で製造設備のシンボルを結ぶ線分ごとに当該線分に対応する製造設備の組合せで製造される製品の個数を集計し、集計の結果、製品の個数が多くなるにつれて線分の表示を太く変更することもできる。これによって、図５に示す製造ルート画面５２０の表示が実現できる。かかる製造ルート画面５２０の表示によれば、製造システム３の関係者等に製品の製造ルートの偏りを把握させることができる。例えば、他の線分よりも太い線分が表示されていれば、その太い線分の経路ばかりで製造処理が行われていることが把握できるので、製造設備の消耗に注意を払うことができる。また、線分がないシンボル間では、当該経路で製造処理が行われておらず、稼働に余裕があることを把握することができる。【００６１】［表示範囲の変更］  タイムラインの表示範囲Ｔは、図３、図４Ｂ及び図５に示したスライダ３５０、４５０または５５０をスライダバー上で移動させることにより、その時間長を変更することができる。例えば、スライダ３５０、４５０または５５０が「＋」の方向へ移動された場合には、タイムラインの表示範囲Ｔの時間長を大きくすることができる。また、スライダ３５０、４５０または５５０が「−」の方向へ移動された場合には、タイムラインの表示範囲Ｔの時間長を小さくすることができる。【００６２】［処理の流れ］  次に、本実施例に係るサーバ装置１０の処理の流れについて説明する。なお、ここでは、タイムライン画面を表示する（１）第１の表示処理を説明した後に、製造ルート画面を表示する（２）第２の表示処理を説明することとする。【００６３】（１）第１の表示処理  図６は、実施例１に係る第１の表示処理の手順を示すフローチャートである。この処理は、一例として、クライアント端末５０から製造レポートの閲覧要求を受け付けた場合に開始される。【００６４】  図６に示すように、第１生成部１５ｃは、製造レポートの閲覧要求を受け付けた日時もしくは閲覧要求で指定された日時を基準に、タイムラインの表示範囲を設定する（ステップＳ１０１）。続いて、第１生成部１５ｃは、記憶部１３に記憶された生産実績データ１３ａのレコードのうちレコードを１つ選択する（ステップＳ１０２）。【００６５】  続いて、第１生成部１５ｃは、ステップＳ１０２で選択されたレコードに含まれる製造処理の開始時刻のうち最古の開始時刻または製造処理の終了時刻のうち最新の終了時刻のいずれかがタイムラインの表示範囲に含まれるか否かを判定する（ステップＳ１０３）。【００６６】  ここで、最古の開始時刻または最新の終了時刻がタイムラインの表示範囲に含まれる場合（ステップＳ１０３Ｙｅｓ）、第１生成部１５ｃは、当該レコードを図示しない内部メモリのワークエリアに保存することにより当該レコードに対応する製品を抽出する（ステップＳ１０４）。なお、最古の開始時刻及び最新の終了時刻がタイムラインの表示範囲に含まれない場合（ステップＳ１０３Ｎｏ）、当該レコードは内部メモリのワークエリアに保存されず、ステップＳ１０５の処理へ移行する。【００６７】  そして、生産実績データ１３ａの全てのレコードが選択されるまで（ステップＳ１０５Ｎｏ）、上記のステップＳ１０２〜ステップＳ１０４までの処理が繰り返し実行される。その後、生産実績データ１３ａの全てのレコードが選択された場合（ステップＳ１０５Ｙｅｓ）、次のような処理を実行する。【００６８】  すなわち、第１生成部１５ｃは、内部メモリに保存されたレコードごとに、当該レコードに含まれる工程別の製造処理の開始時刻及び終了時刻をタイムラインの各時間軸上にプロットし、プロットされた点同士を結んで折れ線グラフをチャート化することによりタイムライン画面の表示用データを生成する（ステップＳ１０６）。【００６９】  続いて、表示制御部１５ｂは、ステップＳ１０６で生成されるタイムライン画面の表示用データを第１の画面領域に表示させ（ステップＳ１０７）、処理を終了する。なお、ステップＳ１０７の段階では、製造ルート画面は未表示とすることもできるし、製造ルート画面上に各工程に含まれる製造設備のシンボルだけを表示しておき、シンボル間を結ぶ線分を未表示としておくこともできる。【００７０】（２）第２の表示処理  図７は、実施例１に係る第２の表示処理の手順を示すフローチャートである。この処理は、一例として、図６に示した第１の表示処理が終了した後に実行される。図７に示すように、タイムライン画面上で折れ線グラフに含まれる線分の指定を受け付けた場合（ステップＳ３０１Ｙｅｓ）、第２生成部１５ｅは、図６に示したステップＳ１０４で内部メモリのワークエリアに保存されたレコードのうちステップＳ３０１で指定を受け付けた線分に対応する製品のレコードを参照して、当該製品の製造処理が実施された製造設備３０の識別情報を工程ごとに検索する（ステップＳ３０２）。【００７１】  また、タイムラインの表示範囲を製造ルートの表示対象として受け付けた場合（ステップＳ３０３Ｙｅｓ）、第２生成部１５ｅは、図６に示したステップＳ１０４で内部メモリのワークエリアに保存された各製品のレコードを参照して、当該製品の製造処理が実施された製造設備３０の識別情報を工程ごとに検索する処理を全てのレコードにわたって繰り返し実行する（ステップＳ３０４）。【００７２】  その上で、第２生��部１５ｅは、工程ごとに当該工程に属する製造設備３０の数に合わせて配置された製造設備３０のシンボルのうち、ステップＳ３０２またはステップＳ３０４の検索でヒットした各工程の製造設備３０に対応するシンボル同士を結ぶことにより、当該製品に関する製造ルートをチャート化する。これによって、製造ルート画面の表示用データが生成される（ステップＳ３０５）。【００７３】  続いて、表示制御部１５ｂは、ステップＳ３０５で生成される製造ルート画面の表示用データを第２の画面領域に表示させ（ステップＳ３０６）、ステップＳ３０１の処理へ戻る。【００７４】［効果の一側面］  上述してきたように、本実施例に係るサーバ装置１０は、製造ラインに含まれる複数の工程ごとの開始及び終了の時間経過が工程の実行順序に並ぶ製品のタイムラインと、隣接する工程間で設備のシンボルを結ぶ製造ルートとを並列して表示する。したがって、本実施例に係るサーバ装置１０によれば、製造ルートが生産性に与える影響を可視化できる。
【実施例２】
【００７５】  さて、これまで開示の装置に関する実施例について説明したが、本発明は上述した実施例以外にも、種々の異なる形態にて実施されてよいものである。そこで、以下では、本発明に含まれる他の実施例を説明する。【００７６】［表示範囲のシフト］  例えば、サーバ装置１０は、タイムラインの表示範囲を手動または自動でシフトさせることができる。例えば、図３、図４Ｂ及び図５に示したスクロールバー３６０、４６０または５６０を移動させることにより、タイムラインの表示範囲を時間の前後方向へシフトさせることができる。例えば、スクロールバー３６０、４６０または５６０が上方向へ移動された場合には、タイムラインの表示範囲の時間長を維持したままで時間を遡る方向へシフトさせることができる。また、スクロールバー３６０、４６０または５６０が下方向へ移動された場合には、タイムラインの表示範囲の時間長を維持したままで時間が経過する方向へシフトさせることができる。また、タイムラインの表示範囲は、アニメーションモード等へ切り替えるＧＵＩコンポーネント等を通じて、自動的にシフトさせることもできる。このようにタイムラインの表示範囲がシフトされる度に、製造ルート画面では、シフト前のタイムラインの表示範囲Ｔに含まれる各製品に関する製造ルートから、シフト後のタイムラインの表示範囲Ｔ＋１に含まれる各製品に関する製造ルートへ表示が更新される。【００７７】［分散および統合］  また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、収集部１５ａ、表示制御部１５ｂ、第１生成部１５ｃ、受付部１５ｄ又は第２生成部１５ｅをサーバ装置１０の外部装置としてネットワーク経由で接続するようにしてもよい。また、収集部１５ａ、表示制御部１５ｂ、第１生成部１５ｃ、受付部１５ｄ又は第２生成部１５ｅを別の装置がそれぞれ有し、ネットワーク接続されて協働することで、上記のサーバ装置１０の機能を実現するようにしてもよい。【００７８】［表示プログラム］  また、上記の実施例で説明した各種の処理は、予め用意されたプログラムをパーソナルコンピュータやワークステーションなどのコンピュータで実行することによって実現することができる。そこで、以下では、図８を用いて、上記の実施例と同様の機能を有する表示プログラムを実行するコンピュータの一例について説明する。【００７９】  図８は、実施例１及び実施例２に係る表示プログラムを実行するコンピュータのハードウェア構成例を示す図である。図８に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。【００８０】  ＨＤＤ１７０には、図８に示すように、上記の実施例１で示した収集部１５ａ、表示制御部１５ｂ、第１生成部１５ｃ、受付部１５ｄ及び第２生成部１５ｅと同様の機能を発揮する表示プログラム１７０ａが記憶される。この表示プログラム１７０ａは、図２に示した収集部１５ａ、表示制御部１５ｂ、第１生成部１５ｃ、受付部１５ｄ及び第２生成部１５ｅの各構成要素と同様、統合又は分離してもかまわない。すなわち、ＨＤＤ１７０には、必ずしも上記の実施例１で示した全てのデータが格納されずともよく、処理に用いるデータがＨＤＤ１７０に格納されればよい。【００８１】  このような環境の下、ＣＰＵ１５０は、ＨＤＤ１７０から表示プログラム１７０ａを読み出した上でＲＡＭ１８０へ展開する。この結果、表示プログラム１７０ａは、図８に示すように、表示プロセス１８０ａとして機能する。この表示プロセス１８０ａは、ＲＡＭ１８０が有する記憶領域のうち表示プロセス１８０ａに割り当てられた領域にＨＤＤ１７０から読み出した各種データを展開し、この展開した各種データを用いて各種の処理を実行する。例えば、表示プロセス１８０ａが実行する処理の一例として、図６〜図７に示す処理などが含まれる。なお、ＣＰＵ１５０では、必ずしも上記の実施例１で示した全ての処理部が動作せずともよく、実行対象とする処理に対応する処理部が仮想的に実現されればよい。【００８２】  なお、上記の表示プログラム１７０ａは、必ずしも最初からＨＤＤ１７０やＲＯＭ１６０に記憶されておらずともかまわない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【００８３】      １    ログデータ分析システム      ３    製造システム    １０    サーバ装置    １１    通信Ｉ／Ｆ部    １３    記憶部    １３ａ  生産実績データ    １５    制御部    １５ａ  収集部    １５ｂ  表示制御部    １５ｃ  第１生成部    １５ｄ  受付部    １５ｅ  第２生成部    ３０    製造設備    ３１    ログ出力装置    ５０    クライアント端末
【図１】
2017098618.tif 000003
【図２】
2017098618.tif 000004
【図３】
2017098618.tif 000005
【図４Ａ】
2017098618.tif 000006
【図４Ｂ】
2017098618.tif 000007
【図５】
2017098618.tif 000008
【図６】
2017098618.tif 000009
【図７】
2017098618.tif 000010
【図８】
2017098618.tif 000011
【国際調査報告】
2017098618.tif 000012
2017098618.tif 000013
2017098618.tif 000014
2017098618.tif 000015